(57)【要約】【課題】容易に原稿サイズ検知を行うことができる画像処理装置を提供することを目的とする。【解決手段】原稿セットテーブル２１０に設けられた第１原稿長さセンサ２１２、および、第２原稿長さセンサ２１３により、原稿搬送方向の長さが判定される。原稿サイズが判定された後、原稿は、ピックアップローラ２０が回転することにより、原稿束の最上位の原稿が、給紙ベルト２２３、分離ローラ２２６などの分離部方向へ搬送され、そして、レジストローラ２３０へ搬送される。レジストローラ２３０を過ぎた原稿は、サイズセンサ群２３２により搬送方向と直交する方向の幅が検知される。ここで検知された幅信号と、第１原稿長さセンサ２１２および第２原稿長さセンサ２１３により検知された長さ信号との組み合わせによって正確な原稿サイズが確定される。【選択図】　図６
2004080067.tif 000002
【特許請求の範囲】
【請求項１】
原稿を読み取り、画像データを作成する作成手段と、
前記作成手段により作成された前記画像データを転写紙に印刷処理し、出力画像を形成する画像形成手段と、を備えた画像処理装置において、
原稿載置台上にセットされた原稿を１枚ずつ搬送する原稿搬送手段と、
前記原稿搬送手段により搬送された原稿のサイズを検知する原稿サイズ検知手段と、
前記原稿サイズ検知手段により検知された原稿の一方の面の原稿画像を読み取る第１の画像読取手段と、
前記第１の画像読取手段により読み取られた原稿面と異なる面の原稿画像を読み取る第２の画像読取手段と、
前記第１の画像読取手段および前記第２の画像読取手段により読み取られた原稿の画像データを蓄積する画像蓄積手段と、
前記画像蓄積手段により蓄積された画像データの変倍率を、前記原稿サイズ検知手段により検知された原稿サイズ情報と、前記転写紙サイズの情報とに基づいて、確定する変倍率確定手段と、
前記変倍率確定手段により確定された変倍率に基づいて、前記画像蓄積手段により蓄積された画像データに変倍処理を施す変倍処理手段と、
を備え、
前記画像形成手段は、前記変倍処理手段により変倍処理が施された画像データを転写紙に印刷処理し、出力画像を形成することを特徴とする画像処理装置。
【請求項２】
前記原稿サイズ検知手段による原稿のサイズを検知処理と、前記第１の画像読取手段による原稿の読み取り処理と、前記第２の画像読取手段による原稿の読み取り処理と、を並行して行うことを特徴とする請求項１記載の画像処理装置。
【請求項３】
前記変倍処理手段は、
前記第１の画像読取手段により読み取られた原稿画像の変倍処理を、前記変倍率確定手段により変倍率が確定した時点で開始し、
前記第２の画像読取手段により読み取られた原稿画像の変倍処理を、前記第１の画像読取手段により読み取られた原稿画像の変倍処理が完了した後に開始することを特徴とする請求項１または請求項２記載の画像処理装置。
【発明の詳細な説明】
【０００１】
【発明の属する技術分野】
本発明は、原稿の両面を同時に読み取ることが可能な自動原稿送り装置、および、原稿画像の寸法を変えて出力画像を形成する変倍機能を備えたデジタル複写装置などの画像処理装置に関する。
【０００２】
【従来の技術】
近年、スキャナ部における画像読み取り用の光電変換素子に、ＣＣＤ（電荷結合素子）が用いられている電子複写装置、デジタル複写装置（ＰＰＣ）が普及している。
このＣＣＤなどの光電変換索子を用いて画像データを読み取る光学系において、画像の変倍処理を行う場合、主走査方向は、デジタル信号を計算処理することによって、倍率を変える手法が広く用いられている。
一方、副走査方向は、読取速度を変えることにより、１主走査ラインで読み取る原稿幅を変えることで倍率を変える手法が用いられている。
また、他の方法として、１ページ分の画像データを読み込んだ後に、主走査方向、副走査方向とも、画像処理（計算処理）により倍率を変える手法が知られている。
【０００３】
また、原稿載置台に置かれた原稿を、１枚ずつ読み取るために読取装置へ自動で送り出す、自動原稿送り装置も良く知られている。
この自動原稿送り装置を利用して原稿を読み取る場合の方法としては、コンタクトガラス上に原稿を送り、そこに載置された原稿画像をスキャナの移動によって読み取る原稿固定読み方法と、自動原稿送り装置により原稿搬送中に原稿画像を読み取る原稿流し読み方法とがある。
原稿流し読み方法による読み取り方法は、原稿固定読み方法に比べて、原稿間のスキャナ移動時間がないため、原稿束全体の読み取り時間を短縮することが可能となるのみならず、自動原稿送り装置を小型化することも可能となることにより、広く採用されるようになってきている。
さらに、両面原稿の読取生産性を上げるための読取方法として、原稿の裏面を読み取るセンサを原稿送り装置内の原稿搬送パスに設けて、両面原稿の表面と裏面を１回の搬送で読み取る方法も提案されている。
【０００４】
ところで、デジタル複写装置の主機能として、原稿サイズと出力用紙サイズに基づいて倍率を計算し、画像を形成する自動変倍機能が存在する。
この機能は、装置の原稿サイズ検知機能により、自動検出した原稿サイズと、使用者によって選択された出力用紙サイズから、最適な倍率を計算し、その倍率で画像形成処理することで実現される。
この自動変倍機能を原稿の搬送速度を変えることにより実現するためには、原稿読取開始前に原稿サイズを検知し変倍率を確定する必要があり、そのための原稿サイズ検知方法として、原稿載置台上に設けられたセンサで原稿サイズを決定する方法がある。
さらに、原稿搬送方向と直行する方向のサイズ検知方法には、原稿載置台上で、原稿の上下方向の幅を規制するガイド部材の幅をセンサで読み取る方法、あるいは、原稿搬送方向に複数並べられたセンサにより検知する方法がある。
【０００５】
また、搬送方向の長さの検知方法には、原稿載置台上に配置されたセンサを原稿が遮る組み合わせにより検知する方法と、原稿搬送パスに設けられた検知センサで原稿先端からあらかじめ決められた長さ分の位置から、原稿後端が通過するまでの通過時間を測定することにより、搬送速度との組み合わせで検知する方法がある。
原稿載置台上で原稿サイズを検知する前者の方法の欠点は、サイズの異なる原稿を一度にセットして、複写を実行する原稿サイズ混載モードにおいては、搬送方向のサイズ検知は、セットされた原稿のうちの最大長の原稿にあわせるため、それより短い長さの原稿の長さが原稿台上では検知できないので、原稿混載モードに対応した複写装置においては、後者の方法と組み合わせて実施している。
【０００６】
【発明が解決しようとする課題】
しかしながら、上述した方法を用いて、原稿サイズ混載モード時に、原稿サイズを検知するためには、原稿載置台上の原稿が搬送され、そして、その１枚の原稿が原稿載置台上の原稿束から離れ、完全に独立した状態になった時点で初めて原稿サイズを確定することになる。従って、それが可能になるような搬送路の確保が必要となる。
このような搬送路を、シートＤＦ（ドキュメント・フィーダ）を搭載した装置において実現しようとすると、この装置の最大の特徴である小型化を阻害することになってしまう。
そこで、本発明は、両面原稿を読み取る場合の原稿反転機構を利用し、原稿読取を実施しないでサイズ検知を行うことができる画像処理装置を提供することを目的とする。
【０００７】
【課題を解決するための手段】
請求項１に記載した発明では、　原稿を読み取り、画像データを作成する作成手段と、前記作成手段により作成された前記画像データを転写紙に印刷処理し、出力画像を形成する画像形成手段と、を備えた画像処理装置において、原稿載置台上にセットされた原稿を１枚ずつ搬送する原稿搬送手段と、前記原稿搬送手段により搬送された原稿のサイズを検知する原稿サイズ検知手段と、前記原稿サイズ検知手段により検知された原稿の一方の面の原稿画像を読み取る第１の画像読取手段と、前記第１の画像読取手段により読み取られた原稿面と異なる面の原稿画像を読み取る第２の画像読取手段と、前記第１の画像読取手段および前記第２の画像読取手段により読み取られた原稿の画像データを蓄積する画像蓄積手段と、前記画像蓄積手段により蓄積された画像データの変倍率を、前記原稿サイズ検知手段により検知された原稿サイズ情報と、前記転写紙サイズの情報とに基づいて、確定する変倍率確定手段と、前記変倍率確定手段により確定された変倍率に基づいて、前記画像蓄積手段により蓄積された画像データに変倍処理を施す変倍処理手段と、を備え、前記画像形成手段は、前記変倍処理手段により変倍処理が施された画像データを転写紙に印刷処理し、出力画像を形成することにより前記目的を達成する。
【０００８】
請求項２に記載した発明では、請求項１記載の発明において、前記原稿サイズ検知手段による原稿のサイズを検知処理と、前記第１の画像読取手段による原稿の読み取り処理と、前記第２の画像読取手段による原稿の読み取り処理と、を並行して行うことにより前記目的を達成する。
請求項３に記載した発明では、請求項１または請求項２記載の発明において、前記変倍処理手段は、前記第１の画像読取手段により読み取られた原稿画像の変倍処理を、前記変倍率確定手段により変倍率が確定した時点で開始し、前記第２の画像読取手段により読み取られた原稿画像の変倍処理を、前記第１の画像読取手段により読み取られた原稿画像の変倍処理が完了した後に開始することにより前記目的を達成する。
【０００９】
【発明の実施の形態】
以下、本発明のデジタル複写装置における好適な実施の形態について、図１から図１６を参照して詳細に説明する。
図１は、本実施の形態に係るデジタル複写装置の概略構成を示した図である。
図１を参照してデジタル複写装置の概略動作を説明する。
はじめに、図示しない操作部のスタートキーが押下されると、自動原稿送り装置２００にある原稿台上に、原稿の画像面を上にして置かれた原稿束は、読取ユニット５０に送られる。
そして、読取ユニット５０において原稿の読み取り処理が実行され、原稿は原稿画像として電気的に読み取られる。原稿の読み取り処理が終了した後、原稿は、そのまま自動原稿送り装置２００によって原稿排出トレイに排出される。
なお、読取ユニット５０において実行される原稿の読み取り処理の詳細については後述する。
【００１０】
次に、デジタル複写装置において実行される印刷処理について説明する。
まず、第１トレイ８、第２トレイ９、第３トレイ１０に積載された転写紙は、それぞれ、第１給紙ユニット１１、第２給紙ユニット１２、第３給紙ユニット１３によって給紙され、縦搬送ユニット１４によって感光体１５に当接する位置まで搬送される。
次に、読み取りユニット５０にて読み込まれた画像データは、書き込みユニット５７から照射されるレーザによって感光体１５に書き込まれ、現像ユニット２７を通過することによってトナー像が形成される。そして、転写紙は、搬送ベルト１６によって搬送され、感光体１５上に形成されたトナー像が転写される。
【００１１】
トナー像が転写された後、転写紙は、定着ユニット１７において画像を定着させ、排紙ユニット１８によって後処理装置のフィニシャ１００に排出される。
このフィニシャ１００は、排紙ユニット１８から排出された転写紙を、通常の排紙トレイであるスタッカトレイ１０４へ搬送するスタッカ排紙ローラ１０３の方向あるいは、ステープルトレイ１０８へ搬送するステープル排紙ローラ１０７の方向に導くことができる。これらの排紙トレイの切り替えは、分岐偏向板１０１を用いて行うことができる。
【００１２】
ステープルトレイ１０８は、ステープル処理（１部ずつステープルで綴じる）を必要とする転写紙が排紙されるトレイである。ステープルトレイ１０８では、転写紙が１枚排紙されるごとに紙揃え用の落下ストッパ１０９によって揃えられ、さらに、印刷処理が一部完了するごとに、ステープラ１０６によって綴じられる。そして、ステープラ１０６で綴じられた転写紙群は、自重によって落下トレイ１１０に収納される。
一方、スタッカトレイ１０４は、前後に移動可能な排紙トレイである。このスタッカトレイ１０４は、原稿ごと、あるいは、画像メモリによってソーティングされたコピー部ごとに、前後に移動し、簡易的に排出されてくるコピー紙を仕分けるものである。
【００１３】
次に、転写紙の両面に画像を印刷する場合の処理方法について説明する。
まず、各給紙トレイ８〜１０から給紙され作像された転写紙を、一旦、両面給紙ユニット１１１にストックする。なお、転写紙の両面給紙ユニット１１１への経路の切り替えは、分岐爪１１２を上側にセットすることで可能になる。
そして、両面給紙ユニット１１１にストックされた転写紙は、再度、感光体１５に作像されたトナー画像を転写するために、両面給紙ユニット１１１から給紙される。
次に、分岐爪１１２を下側にセットし、転写紙の経路をスタッカトレイ１０４へ切り替え、転写紙をスタッカトレイ１０４排出する。
このようにして、両面給紙ユニット１１１を用いることにより転写紙の両面に画像を印刷することができる。
【００１４】
次に、読み取りユニット５０で実行される原稿の読み取り処理の動作について説明する。
読み取りユニット５０は、原稿を載置するコンタクトガラス６および光学走査系から構成されている。
この光学走査系には、露光ランプ５１、第１ミラー５２、レンズ５３、ＣＣＤセンサ５４を備えている。
露光ランプ５１および第１ミラー５２は、図示しない第１キャリッジ上に固定され、第２ミラー５５および第３ミラー５６は、図示しない第２キャリッジ上に固定されている。
【００１５】
原稿の読み取り処理を実行する方法には、原稿をコンタクトガラス６上において、光学走査系を移動させて読み取る方法と、光学走査系を読取位置に固定し、原稿を移動させて読み取る方法の２通りある。
光学走査系を移動させて原稿画像を読み取る方法では、光路長が変わらないように、第１キャリッジ第２キャリッジとが２対１の相対速度で機械的に走査されるようになっている。なお、この光学走査系は、図示しないスキャナ駆動モータにて駆動される。
一方、原稿を移動させて原稿像を読み取る方法では、光学走査系を固定読取位置に移動させた状態で原稿画像が読み取られる。
どちらの読み取り方法においても、原稿画像はＣＣＤセンサ５４によって読み取られ、電気信号に変換されて処理される。
【００１６】
次に、書き込みユニット５７で実行される原稿の書き込み処理の動作について説明する。
書き込みユニット５７は、レーザ出力ユニット５８、結像レンズ５９、ミラー６０から構成されている。レーザ出力ユニット５８の内部には、レーザ光源であるレーザダイオードおよびモータによって高速で定速回転するポリゴンミラー（回転多面鏡）が備えられている。
まず、レーザ出力ユニット５８から照射されるレーザ光は、定速回転するポリゴンミラーにより偏光された後、結像レンズ５９を通過して、ミラー６０で反射され、感光体上に集光結像する。
【００１７】
そして、偏光されたレーザ光は、感光体が回転する方向と直行する方向（主走査方向）に露光走査され、画像信号のライン単位の記録を行う。感光体の回転速度と記録密度に対応した所定の周期で主走査を繰り返すことによって、感光体面上に画像（静電潜像）が形成される。
このように、書き込みユニット５７から出力されるレーザ光が、画像作像系の感光体１５に照射される。
なお、感光体１５の一端近傍のレーザビームを照射される位置に、主走査同期信号を発生する図示しないビームセンサが配置されている。このビームセンサから発生した主走査同期信号をもとに主走査方向の画像記録開始タイミングの制御、および後述する画像信号の入出力を行うための制御信号の生成が行われる。
【００１８】
図２は、本実施の形態に係るデジタル複写装置における操作部３０の構成を示した図である。
図２に示すように、操作部３０は、液晶タッチパネル３１、テンキー３２、クリア／ストップキー３３、スタートキー３４、モードクリアキー３５、およびテスト印刷キー４０が設けられている。
液晶タッチパネル３１には、機能キー、部数、および画像形成装置の状態を示すメッセージなどが表示されるようになっている。
また、液晶タッチパネル３１には、コピー機能、プリンタ機能、蓄積コピー機能を切り替える機能切換キー３９が表示されるようになっている。
なお、このコピー機能は、スキャナで読み取った画像を転写紙に指定された動作で複写する機能であり、プリンタ機能は、外部からＬＡＮ（ローカル・エリア・ネットワーク）およびパラレルＩ／Ｆ等で接続され、外部からのプリント画像データとその指示を受けて、プリント出力する機能であり、蓄積コピー機能は、スキャナで読み取った画像や、外部からの画像データを蓄積して、機械の操作でプリントできる機能である。
テスト印刷キー４０は、設定されている印刷部数に関わらずに１部を印刷処理するためのキーである。
【００１９】
図３ないし図５は、操作部３０における液晶タッチパネル３１の表示例を示した図である。
なお、液晶タッチパネル３１は、表示された機能を示すキーにオペレータが接触することにより、選択された機能を示すキーが黒く反転するようになっている。また、各機能の詳細指定をする場合（例えば、変倍機能実行時の変倍値など）には、該当するキーに接触することにより、詳細機能の設定画面が表示されるようになっている。
液晶タッチパネルは、ドット表示器を使用しているため、最適な表示をグラフィカルに行うことができる。
【００２０】
図３は、コピー機能を選択設定する画面の表示例を示した図である。
図３に示すように、コピー機能を選択設定する画面には、「コピーできます」、「お待ください」等のメッセージを表示するメッセージエリア、セットした枚数を表示するコピー枚数表示部、画像濃度を自動的に調整する自動濃度キー、転写紙を自動的に選択する自動用紙選択キー、倍率を自動で設定する用紙指定変倍キー、コピーを１部ずつページ順に揃える処理を指定するソートキー、コピーをページごとに仕分けする処理を指定するスタックキー、ソート処理されたものを１部ずつ綴じる処理を指定するステープルキー、倍率を等倍にセットする等倍キー、拡大／縮小倍率をセットする変倍キー、両面モードを設定する両面キー、綴じ代モード等を設定する消去／移動キー、およびスタンプや日付やページ等の印字を設定する印字キーが表示される。
【００２１】
図４は、プリンタ機能を操作する画面の表示例を示した図である。
図４に示すように、プリンタ機能を操作する画面には、印刷要求の許可を設定するオンライン／オフラインキー、データイン状態で排出されていない画像を強制排出する強制排出キー、画像データのデータ入力状態、および転写紙のセット状況が表示される。
【００２２】
図５は、スキャナ装置において蓄積動作を実行する画面の表示例を示した図である。
各モード設定を行った後、図示しないスタートキーを押下して原稿の読み込み動作が開始される。読み込まれた原稿画像には、ファイルのユーザ名と、ファイル名とが順次付加され、図５に示すように表示される。なお、原稿が複数存在する場合は、ファイル名を区別できるようにネーミングされる。
そして、読み込み終了キーを押下することにより読み込み動作が終了しファイルが保存される。
【００２３】
次に、自動原稿送り装置における原稿束の搬送動作について図６を参照して説明する。
まず、読み取り対象の原稿束を原稿セットテーブル２１０上に先端を原稿ストッパ２１４に突き当てた状態でセットし、さらに、原稿束の幅方向をサイドガイド２１１によって搬送方向と直交する方向の位置決めを行う。
この状態で、原稿セット検知フィラが変位し、これに伴って原稿セットセンサ２１５の遮光が解除され、原稿のセット状態が検知される。さらに、原稿セットテーブル２１０に設けられた第１原稿長さセンサ２１２、および、第２原稿長さセンサ２１３により、原稿搬送方向の長さの概略が判定される。
図７は、原稿台に置かれたときの、原稿の長さと定型サイズとの関係を示した図である。
本実施の形態においては、２つのセンサを用いて、原稿サイズを検知するようにしているが、このセンサを追加することで、方向の異なる原稿も差別化することが可能になる。
【００２４】
原稿サイズが判定された後、ピックアップローラ２２０は、原稿上面にセットされ、原稿と圧接される。さらに、一定時間後、図示しない分離給紙部およびレジスト部を駆動する駆動装置（給紙モータ）が作動し、ピックアップローラ２２０を時計方向に回転させる。
このピックアップローラ２２０が回転することにより、原稿束の最上位の原稿が、給紙ベルト２２３、分離ローラ２２６などの分離部方向へ搬送される。この給紙ベルト２２３はベルトプーリー２２２、２２４に張力をもって掛け渡されているため、対抗的に設けられた分離ローラ２２６に巻きかけられるように圧接している。
また、分離ローラ２２６は、トルクリミッタを介してフリクション駆動されており、給紙ベルト２２３の回転に連れて反時計方向に回転させられているため、原稿が２枚以上、給紙ベルト２２３と分離ローラ２２６間に進入してしまうような場合においても、連れ回り力がトルクリミッタのトルクよりも低くなるように設定することにより、分離ローラ２２６は、本来の駆動方向である時計方向に回転し、余分な原稿を押し戻すように作用され、重送を防止することができる。
【００２５】
給紙ベルト２２３と分離ローラ２２６との作用により、１枚ずつ分離された原稿は、給紙ベルト２２３によってさらに搬送され、給紙経路中に進む過程で、突き当てセンサ２２９によって先端が検知される。さらに、原稿は、搬送されて停止しているレジストローラ２３０に突き当たる。
そして、原稿は、突き当てセンサ２２９の検知結果に基づいて算出された距離を搬送され、レジストローラ２３０に所定量のたわみをもって押し当てられた状態となり、その後、給紙ベルト２２３の駆動が停止する。このとき、原稿先端はレジストローラ２３０の上下ローラ対のニップ部に進入し、このニップラインで先端の整合（突き当てスキュー補正）が行われるようになっている。
【００２６】
続いて、レジストローラ２３０が駆動され、原稿は、読取ユニット５０（図１に示す）の方向に搬送される。ここでは、原稿突き当て動作で停止した時間の遅れを取り戻すため、搬送速度を高速にして先端センサ２３４までこの高速度で原稿を搬送し、先端センサ２３４の検知により読み取り速度（読み取り搬送ローラ２４３の搬送速度）まで減速させる。この動作を原稿が連続して搬送される間で行うことにより、一定の原稿間隔を維持することができる。
また、レジストローラ２３０を過ぎた原稿は、サイズセンサ群２３２により搬送方向と直交する方向の幅が検知される。そして、この幅信号と、第１原稿長さセンサ２１２および第２原稿長さセンサ２１３により検知された長さ信号との組み合わせによって正確な原稿サイズが確定される。
【００２７】
次に、原稿は、読み取り搬送ローラ２４３と加圧ローラ２４１とのニップ部へ送られ、作像側（図１に示す読取ユニット５０側）からの画像位置合わせ信号の入力を待つ。
原稿は、作像側からの画像位置合わせ信号の入力により、再度搬送され、読み取り搬送ローラ２４３と加圧ローラ２４１とにより第１読取搬送部２５０に搬送される。この第１読取搬送部２５０では、コンタクトガラス２５４と、このコンタクトガラス２５４の上面に所定の間隔をもって配置された白色背景板２５１との間を原稿が通過する間に、読取ユニット５０（図１に示す）により画像が読み取られ、ＣＣＤを介して光電変換されて、画像メモリに記憶される。
【００２８】
中間搬送加圧コロ２５３によって第１読取搬送部２５０から送り出された原稿は、第２読取搬送部２５５に送り出される。そして、原稿は、原稿の裏面側上方で読み取り面を下方に向けて配置された密着イメージセンサ２６１と、その密着イメージセンサ２６１の読み取り面に対向して、所定圧と所定の間隔を保って配置された押圧部材２６０との間を通過する。このとき、原稿の裏面に当たる上面の画像が読み取られ、表面（下面）と同様に光電変換されてメモリに記憶される。
このとき、押圧部材２６０はシェーディングの基準として作用するとともに、白色背景板としても利用されるようになっている。
原稿搬送方向の長さ検知は、レジストセンサ２４０の位置で一旦停止した原稿が、再度搬送を開始した後、サイズセンサ群２３２がＯＦＦするまでの時間を測定することで、検知することができる。
即ち、用紙長さ＝搬送時間×搬送速度＋（レジストセンサ／サイズ原稿群距離）となる。
さらに、原稿は、排紙駆動ローラ２７１と排紙加圧ローラ２７２とにより、排紙スタッカ２９０に排出される。この排紙スタッカ９０は、上流側よりも下流側が高くなるように傾斜面が設けられ、排出原稿の飛び出しを防止するとともにスタック原稿の揃え精度を向上させるように構成されている。
【００２９】
次に、混載モードにおいて異なるサイズの原稿が混載された場合の原稿の搬送および読取動作について説明する。
混載モード時には、異なる長さの原稿が混在するため、原稿テーブル上の第１原稿長さセンサ２１２、第２原稿長さセンサ２１３において、原稿サイズを判別することはできない。
従って、混載モード時には、原稿を１枚ずつ分離した後、その１枚の原稿が原稿束を離し、完全に独立した状態になった時点で原稿サイズを確定する処理を行うようにする。
【００３０】
そのため、読み取り前に原稿サイズを確定する場合は、分離後の最初の原稿後端検知位置から読み取り前のレジストセンサ２４０位置までの間が、最大原稿長さの１／２以上の長さとなるように設定して、搬送経路を構成する。
また、混載モード時には、原稿サイズを読み取り開始前に確定できない場合、図８に示すような原稿反転部を設けた装置を用いて、最初の搬送では読み取り動作を行わず、サイズの読み込みだけのために通紙し、反転部を介した２回目の読み取り通過時に読み取ることもできる。
このようにすることにより、装置の小型化を図ることが可能となる。
【００３１】
図９は、本実施の形態に係るデジタル複写装置における読取ユニット５０のブロック図である。
図９に示すように、読取ユニット５０は、ＣＣＤセンサ５０１、アナログ処理回路５０２、Ａ／Ｄ変換装置５０３、アナログ・スイッチ５０４、ＡＥ（基準電圧制御）回路５０５、シェーディング補正回路５０６、濃度変換部５０９、画像メモリ５１０および変倍処理回路５１１から構成されている。
ＣＣＤセンサ５０１は、読み取った原稿画像の１ライン分の電気信号を奇数画素と偶数画素の２系統に分けて出力する。
Ａ／Ｄ変換装置５０３は、ＣＣＤセンサ５０１のアナログ出力をデジタル信号に変換する。
アナログ処理回路５０２は、ＣＣＤセンサ５０１の２系統の出力信号を、系統ごとにクランプ、ゲイン調整およびサンプル・ホールドした後、スイッチング処理により１系統に統合して出力する。
【００３２】
Ａ／Ｄ変換器５０３は、アナログ処理回路５０２のアナログ出力を、アナログ・スイッチ５０４からの基準電圧入力を基準として、８ビットのデジタル信号に変換する。
ＡＥ回路５０５は、Ａ／Ｄ変換器５０３の基準電圧を制御して、原稿の地肌部分のＡ／Ｄ変換器出力を白レベル（ＦＦｈ（１６進数））に近づける処理を行う。なお、このＡＥ回路５０５は、Ａ／Ｄ変換器５０３の出力を基にＡ／Ｄ変換器５０３の基準電圧値の制御を行う。
アナログ・スイッチ５０４は、アナログ処理回路５０２からの一定基準電圧と、ＡＥ回路５０５の出力電圧とから、制御信号に従って一方の電圧を選択し、Ａ／Ｄ変換装置５０３に基準電圧として印加する。なお、図示しない駆動信号発生回路が、ＣＣＤセンサ５０１、アナログ処理回路５０２およびＡ／Ｄ変換器５０３に同期信号などライン単位の信号および駆動クロックを供給する。
【００３３】
シェーディング補正回路５０６は、Ａ／Ｄ変換装置５０３の出力データに含まれる、主に光学系およびＣＣＤセンサ５０１の各受光素子の感度ばらつきを、黒レベルおよびゲインについてデジタル的に補正する。
濃度変換部５０９は、シェーディング補正回路５０６から入力された輝度データを濃度データに変換するためのＬＵＴ（Ｌｏｏｋ−ｕｐ　Ｔａｂｌｅ）を備え、入力されたデータに対応するテーブル値を出力することによって、輝度データを濃度データに変換する。ここで濃度変換された画像データは、一旦画像メモリ５１０に蓄積される。
変倍処理回路５１１は、変倍率が確定された場合に、画像メモリ５１０に蓄積された画像データの変倍処理を行い、そして、変倍した画像データを蓄積メモリに入力する。
なお、原稿裏面画像は密着イメージセンサ（ＣＩＳ）からの画像信号を受けつけ、上述した表面画像の読み取り処理と同様にして画像メモリに蓄積される。
【００３４】
次に、原稿搬送、原稿サイズ検知、原稿読取、画像蓄積、および画像の変倍処理のタイミングの関係を図１０を参照して説明する。
原稿載置台上の原稿の搬送が開始され、サイズセンサ群２３２において原稿が検知されるとセンサ信号がＯＮとなる。このとき、一旦タイマーをスタートさせる。そして、原稿の先端が画像合わせのための位置に到達すると、原稿搬送が中断される。
その後、読み取りのための準備が完了し、再スタート信号を受け取ると原稿の搬送が再開し、原稿長さ検知のためのタイマーを再度スタートする。そして、サイズセンサ群２３２により原稿が検知されなくなるまでの時間、即ち、原稿後端が検知されるまでの時間が測定される。
原稿画像の読取処理が、原稿の再スタート（搬送）により開始されると、原稿画像が画像メモリ５１０に読み込まれる。この時点で、原稿後端検知により原稿の長さが確定するため、変倍率を計算し、画像の変倍処理を開始することができる。
また、図１１に示すように、原稿の長さが短い場合は、画像合わせのための位置まで搬送されないうちに原稿後端が検知され、変倍率が読取開始前に確定することになる。従って、この場合には原稿の読取と同時に画像の変倍処理が開始ですることができる。
【００３５】
図１２および図１３は、本実施の形態に係るデジタル複写装置における原稿サイズ検知処理の動作手順について示したフローチャートである。
原稿サイズ検知センサの信号が、原稿が検知されてＯＮ信号なった場合（ステップ１１；Ｙ）、原稿サイズ検知タイマーをスタートさせる（ステップ１２）。
原稿サイズ検知タイマーが動作している間に、原稿サイズ検知センサが原稿の後端を検知すると、原稿サイズ検知センサの信号はＯＦＦになるようになる。
次に、デジタル複写装置は、搬送された原稿が、原稿停止位置に到達しているか否かを判断する（ステップ１３）。
搬送された原稿が、原稿停止位置に到達している場合（ステップ１３；Ｙ）、デジタル複写装置は、原稿搬送再開を待ち（ステップ１４；Ｙ）、原稿サイズ検知タイマーをスタートさせる（ステップ１５）。
その後、サイズ検知センサがＯＦＦするまで待ち（ステップ１６；Ｙ）、原稿の長さを算出し（ステップ１７）、そして、原稿サイズを確定する（ステップ１８）。なお、原稿長さは、原稿搬送時間ｘ搬送速度によって算出される長さに、読み取り前の停止位置から原稿サイズセンサまでの距離を加えることで求められる。
【００３６】
次に、確定した原稿サイズが定型サイズである否かを判断する（ステップ１９）。
定型サイズである場合（ステップ１９；Ｙ）、該当する定型サイズを原稿サイズとして設定する（ステップ２０）。
一方、定型サイズでない（不定形サイズ）である場合、不定形サイズ情報を原稿サイズとして設定する（ステップ２３）。
そして、原稿が定形サイズであり、かつ、で確定倍率が、変倍能力以下であるか否かを判断し（ステップ２１）、
原稿が定形サイズであり、かつ、で確定倍率が、変倍能力以下である場合（ステップ２１；Ｙ）、画像の変倍処理を開始し（ステップ２２）、原稿サイズ検知処理を終了する。
また、原稿が定形サイズであり、かつ、で確定倍率が、変倍能力以下でない場合（ステップ２１；Ｎ）、原稿サイズ検知処理を終了する。
【００３７】
一方、搬送された原稿が、原稿停止位置に到達してない場合（ステップ１３；Ｎ）、原稿サイズ検知センサの信号がＯＦＦであるか否かを判断する（ステップ３１）。
原稿サイズ検知センサの信号がＯＦＦでない場合（ステップ３１；Ｎ）、ステップ１３の処理へ戻る。
また、原稿サイズ検知センサの信号がＯＦＦである場合（ステップ３１；Ｙ）、原稿の長さを算出し（ステップ３２）、そして、原稿サイズを確定する（ステップ３３）。なお、原稿長さは、原稿搬送時間ｘ搬送速度によって算出される長さから求められる。
【００３８】
次に、確定した原稿サイズが定型サイズである否かを判断する（ステップ３４）。
定型サイズである場合（ステップ３４；Ｙ）、該当する定型サイズを原稿サイズとして設定する（ステップ３５）。
一方、定型サイズでない（不定形サイズ）である場合、不定形サイズ情報を原稿サイズとして設定する（ステップ３９）。
そして、デジタル複写装置は、一旦停止後の読取開始のための原稿の搬送が再開するまで待ち（ステップ３６；Ｙ）、原稿が定形サイズであり、かつ、で確定倍率が、変倍能力以下であるか否かを判断する（ステップ３７）。
原稿が定形サイズであり、かつ、で確定倍率が、変倍能力以下である場合（ステップ３７；Ｙ）、読取開始と同時に画像の変倍処理を開始し（ステップ３８）、原稿サイズ検知処理を終了する。
また、原稿が定形サイズであり、かつ、確定倍率が、変倍能力以下でない場合（ステップ３７；Ｎ）、原稿サイズ検知処理を終了する。
なお、変倍率が変倍能力を超えてしまうような場合には、画像の変倍処理が開始できなくとも原稿搬送を実行し、画像データを画像メモリへ読み込むようにする。これは、そのまま原稿を止めておくような処理をせずに操作性を向上させるためである。
【００３９】
図１４および図１５は、本実施の形態に係るデジタル複写装置における画像の変倍処理の完了判断処理の動作手順について示したフローチャートである。
デジタル複写装置は、原稿の読み取り処理が完了するまで待ち（ステップ４１；Ｙ）、次に、画像の変倍処理が完了しているか否かを判断する（ステップ４２）。
画像の変倍処理が完了している場合（ステップ４２；Ｙ）、画像の変倍処理の完了判断処理を終了する。
また、画像の変倍処理が完了していない場合（ステップ４２；Ｎ）、デジタル複写装置は、当該原稿サイズが不定形サイズであるか否かを判断する（ステップ４３）。
当該原稿サイズが不定形サイズである場合（ステップ４３；Ｙ）、原稿サイズの確認を促すメッセージを表示し（ステップ４４）、画像の変倍処理の完了判断処理を終了する。
【００４０】
一方、当該原稿サイズが不定形サイズでない場合（ステップ４３；Ｎ）、変倍処理の倍率が変倍能力以上であるか否かを判断する（ステップ４５）。
変倍処理の倍率が変倍能力以上でない場合（ステップ４５；Ｎ）、変倍率の確定エラーメッセージを表示し（ステップ５３）、画像の変倍処理の完了判断処理を終了する。
変倍処理の倍率が変倍能力以上である場合（ステップ４５；Ｙ）、用紙サイズの変更を促すメッセージを表示する（ステップ４６）。このメッセージの表示例を図１６に示す。
その後、ユーザ操作により、用紙変更がされたか否かを判断する（ステップ４７）。
用紙変更がされた場合（ステップ４７；Ｙ）、デジタル複写装置は、倍率算出処理を実行し（ステップ４８）、算出された変倍処理の倍率が変倍能力以下であるか否かを判断する（ステップ４９）。
算出された変倍処理の倍率が変倍能力以下である場合（ステップ４９；Ｙ）、画像の変倍処理を実行し（ステップ５０）、画像の変倍処理の完了判断処理を終了する。
【００４１】
また、用紙変更がされない場合（ステップ４７；Ｎ）、変倍処理の中止を確認するメッセージを表示して、変倍処理を中止するか否かを判断する（ステップ５１）。
ユーザから、変倍処理を中止する指示なされた場合（ステップ５１；Ｙ）、画像の変倍処理の完了判断処理を終了する。
一方、ユーザから、変倍処理を中止する指示がなされない場合（ステップ５１；Ｎ）、変倍処理の実行を確認するメッセージを表示して、変倍処理を実行するか否かを判断する（ステップ５２）。
ユーザから、変倍処理を実行する指示がされた場合（ステップ５２；Ｙ）、画像の変倍処理を実行し（ステップ５０）、画像の変倍処理の完了判断処理を終了する。
また、ユーザから、変倍処理を実行する指示がなされない場合（ステップ５２；Ｎ）、ステップ４７の処理へ戻る。
本実施の形態によれば、両面原稿を同時に読み取る構成を採用する場合であっても、原稿の読取処理以降の処理を分割して行うようにするため、読取以降の構成は、従来使用していた回路構成を採用することができ回路構成を簡略化することができる。
【００４２】
【発明の効果】
請求項１記載の発明によれば、第１の画像読取手段と第２の画像読取手段とを備えることにより、原稿の向きを換えることなく適切に原稿の両面の画像を読み取ることができる画像処理装置を提供することができる。
請求項２記載の発明によれば、原稿両面の画像の読み取り処理を並行して行うことにより、原稿の読み取り時間を短縮することができる画像処理装置を提供することができる。
請求項３記載の発明によれば、原稿両面の画像データの変倍処理を順に行うことにより、適切に画像データの変倍処理を行うことができる画像処理装置を提供することができる。
【図面の簡単な説明】
【図１】本実施の形態に係るデジタル複写装置の概略構成を示した図である。
【図２】本実施の形態に係るデジタル複写装置における操作部の構成を示した図である。
【図３】液晶タッチパネルの表示例（コピー機能を選択設定する画面）を示した図である。
【図４】液晶タッチパネルの表示例（プリンタ機能を操作する画面）を示した図である。
【図５】液晶タッチパネルの表示例（蓄積動作を実行する画面）を示した図である。
【図６】自動原稿送り装置における原稿束の搬送動作の説明図である。
【図７】原稿の長さと定型サイズとの関係を示した図である。
【図８】原稿反転部を設けた装置の説明図である。
【図９】本実施の形態に係るデジタル複写装置における読取ユニットのブロック図である。
【図１０】原稿搬送、原稿サイズ検知、原稿読取、画像蓄積、および画像の変倍処理のタイミングの関係を示した図である。
【図１１】原稿の長さが短い場合における、原稿搬送、原稿サイズ検知、原稿読取、画像蓄積、および画像の変倍処理のタイミングの関係を示した図である。
【図１２】本実施の形態に係るデジタル複写装置における原稿サイズ検知処理の動作手順について示したフローチャートである。
【図１３】本実施の形態に係るデジタル複写装置における原稿サイズ検知処理の動作手順について示したフローチャートである。
【図１４】本実施の形態に係るデジタル複写装置における画像の変倍処理の完了判断処理の動作手順について示したフローチャートである。
【図１５】本実施の形態に係るデジタル複写装置における画像の変倍処理の完了判断処理の動作手順について示したフローチャートである。
【図１６】メッセージの表示例を示した図である。
【符号の説明】
６　コンタクトガラス
８　第１トレイ
９　第２トレイ
１０　第３トレイ
１３　第３給紙装置
１４　縦搬送ユニット
１５　感光体
１６　搬送ベルト
１７　定着ユニット
１８　排紙ユニット
【図１】
2004080067.tif 000003
【図２】
2004080067.tif 000004
【図３】
2004080067.tif 000005
【図４】
2004080067.tif 000006
【図５】
2004080067.tif 000007
【図６】
2004080067.tif 000008
【図７】
2004080067.tif 000009
【図８】
2004080067.tif 000010
【図９】
2004080067.tif 000011
【図１０】
2004080067.tif 000012
【図１１】
2004080067.tif 000013
【図１２】
2004080067.tif 000014
【図１３】
2004080067.tif 000015
【図１４】
2004080067.tif 000016
【図１５】
2004080067.tif 000017
【図１６】
2004080067.tif 000018